(57)【要約】【課題】通信品質を維持しつつツイストペア線を分岐できる分岐コネクタ等を提供する。【解決手段】分岐コネクタ５Ａは、ツイストペア線を構成する２本の第１電線Ｗ１が互いの間隔を開けたツイスト形状に配策される配策経路部１１を有する第１ハウジング部１０と、ツイストペア線を構成する２本の第２電線Ｗ２にそれぞれ接続された一対の圧接端子５０が固定され、第１ハウジング部１０に組付けされた状態では、一対の圧接端子５０が２本の第１電線Ｗ１にそれぞれ圧接接続する第２ハウジング部２０と、第２ハウジング部２０に設けられ、第１ハウジング部１０の２本の第１電線Ｗ１の引出し方向を、２本の第２電線Ｗ２の引出し方向とする電線引出口３４ａとを備えている。【選択図】図１
2019079717.tif 000002
【特許請求の範囲】
【請求項１】
ツイストペア線を構成する２本の第１電線が互いの間隔を開けたツイスト形状に配策される配策経路部を有する第１ハウジング部と、
ツイストペア線を構成する２本の第２電線にそれぞれ接続された一対の圧接端子が固定され、前記第１ハウジング部に組付けされた状態では、一対の前記圧接端子が２本の前記第１電線にそれぞれ圧接接続する第２ハウジング部と、
前記第２ハウジング部に設けられ、前記第１ハウジング部の２本の前記第１電線の引出し方向を、２本の前記第２電線の引出し方向とする電線引出口とを備えたことを特徴とする分岐コネクタ。
【請求項２】
請求項１記載の分岐コネクタであって、
前記圧接端子は、前記第２電線を接続する電線接続部と、前記電線接続部に連結され、前記第１電線に圧接接続する圧接刃とを有し、前記電線接続部と前記圧接刃との連結箇所で直角に折曲されていることを特徴とする分岐コネクタ。
【請求項３】
請求項１又は請求項２記載の分岐コネクタであって、
前記配策経路部は、２本の前記第１電線が互いの間隔を開けたツイスト形状に倣ったツイスト溝を有することを特徴とする分岐コネクタ。
【請求項４】
請求項１〜請求項３のいずれかに記載の分岐コネクタであって、
前記配策経路部は、２本の前記第１電線の間に割り込むリブを有することを特徴とする分岐コネクタ。
【請求項５】
請求項４に記載の分岐コネクタであって、
前記第２ハウジング部は、前記第１ハウジング部に組付けされた状態で、前記ツイスト溝に入り込む突壁を有することを特徴とする分岐コネクタ。
【請求項６】
請求項１〜請求項５のいずれかに記載の分岐コネクタであって、
前記第２ハウジング部は、前記第１ハウジング部に組付けされる合体用ハウジング部と、一対の前記圧接端子が固定される端子固定用ハウジング部とが一体に形成されていることを特徴とする分岐コネクタ。
【請求項７】
請求項１〜請求項５のいずれかに記載の分岐コネクタであって、
前記第２ハウジング部は、前記第１ハウジング部に組付けされ、コネクタ嵌合部を有する合体用ハウジング部と、一対の前記圧接端子が固定され、前記コネクタ嵌合部に嵌合される端子固定用ハウジング部とを備えたことを特徴とする分岐コネクタ。
【請求項８】
ツイストペア線を構成する２本の第１電線と、
ツイストペア線を構成する２本の第２電線と、
２本の前記第１電線と２本の前記第２電線の間を接続する、請求項１〜請求項６記載の分岐コネクタとを備えたことを特徴とする通信ネットワーク。  
【発明の詳細な説明】
【技術分野】
【０００１】
本発明は、ツイストペア線の分岐を行う分岐コネクタ、及び、この分岐コネクタを用いた通信ネットワークに関する。
【背景技術】
【０００２】
ツイストペア線の従来の分岐コネクタとして特許文献１に開示されたものが提案されている。この分岐コネクタ１００は、図１６及び図１７に示すように、左右一対の端子収容室１０１を有するハウジング１０２と、各端子収容室１０１に配置される一対の圧接端子１１０とを備えている。一対の端子収容室１０１は、仕切壁１０３に仕切られている。この仕切壁１０３には、上方に突出する上方振分リブ１０４と下方に突設する下方振分リブ１０５が設けられている。又、各端子収容室１０１の上下中間位置には、梁部１０６がそれぞれ設けられている。梁部１０６は、下記する上方圧接刃１１１の下方からの進入位置には配置されていない。
【０００３】
各圧接端子１１０は、上位置に配置された上方圧接刃１１１と下方位置に配置された下方圧接刃１１２と有する。上方圧接刃１１１と下方圧接刃１１２は、互いに連結されている。
【０００４】
次に、ハウジング１０２に第１電線Ｗ１、第２電線Ｗ２及び圧接端子１１０を組付ける作業を説明する。先ず、ツイストを一部解除した２本の第２電線Ｗ２を、下方振分リブ１０５で振り分けてハウジング１０２の下方より一対の端子収容室１０１に挿入する。
【０００５】
次に、各圧接端子１１０をハウジング１０２の下方より各端子収容室１０１にそれぞれ挿入する。この挿入に際しては、梁部１０６によって第２電線Ｗ２が上方への移動を阻止されるため、上方圧接刃１１１が第２電線Ｗ２の絶縁被覆を切断しつつ通過し、その後更に圧接端子１１０の下方からの挿入を続けることで第２電線Ｗ２が下方圧接刃１１２に圧接接続される。
【０００６】
次に、ツイストを一部解除した２本の第１電線Ｗ１を、上方振分リブ１０４で振り分けてハウジング１０２の上方から一対の端子収容室１０１に挿入する。２本の第１電線Ｗ１がハウジング１０２の各端子収容室１０１に挿入されると、各第１電線Ｗ１が上方圧接刃１１１に圧接接続される。
【０００７】
これで、ツイストペア線を構成する２本の第１電線Ｗ１とツイストペア線を構成する２本の第２電線Ｗ２とが一対の圧接端子１１０を介して対応する電線同士が電気的に接続される。
【先行技術文献】
【特許文献】
【０００８】
【特許文献１】特開２０１６−１５２１４７号公報
【特許文献２】特開２０１６−１１５５０５号公報
【発明の概要】
【発明が解決しようとする課題】
【０００９】
しかしながら、前記従来の分岐コネクタ１００では、２本の第１電線Ｗ１と２本の第２電線Ｗ２は共に一部区間でツイスト形状がそれぞれ解かれるため、通信品質が低下するという問題がある。
【００１０】
そこで、本発明は、前記した課題を解決すべくなされたものであり、通信品質を維持しつつツイストペア線を分岐できる分岐コネクタ、及び、分岐コネクタを用いた通信ネットワークを提供することを目的とする。
【課題を解決するための手段】
【００１１】
本発明は、ツイストペア線を構成する２本の第１電線が互いの間隔を開けたツイスト形状に配策される配策経路部を有する第１ハウジング部と、ツイストペア線を構成する２本の第２電線にそれぞれ接続された一対の圧接端子が固定され、前記第１ハウジング部に組付けされた状態では、一対の前記圧接端子が２本の前記第１電線にそれぞれ圧接接続する第２ハウジング部と、前記第２ハウジング部に設けられ、前記第１ハウジング部の２本の前記第１電線の引出し方向を、２本の前記第２電線の引出し方向とする電線引出口とを備えている。
【発明の効果】
【００１２】
本発明によれば、２本の第１電線が互いの間隔を広げられるが、ツイスト形状を維持して配策されるため、通信品質を維持しつつツイストペア線を分岐できる。
【図面の簡単な説明】
【００１３】
【図１】本発明の第１実施形態を示し、分岐コネクタの分解斜視図である。
【図２】本発明の第１実施形態を示し、分岐コネクタの全体斜視図である。
【図３】本発明の第１実施形態を示し、（ａ）は図２のＡ１−Ａ１線断面図、（ｂ）は図２のＡ２−Ａ２線断面図、（ｃ）は図２のＢ−Ｂ線断面図である。
【図４】本発明の第１実施形態を示し、第１ハウジング部の内面側を見た斜視図である。
【図５】本発明の第１実施形態を示し、（ａ）は第２ハウジングの合体用ハウジング部の内面側を見た斜視図、（ｂ）はコネクタハウジング部の係止爪と閉塞蓋３４の弾性係止爪の係止構造を示す断面図である。
【図６】本発明の第１実施形態を示し、２本の第２電線に接続された一対の圧接端子の斜視図である。
【図７】本発明の第１実施形態を示し、第２ハウジング部に２本の第２電線を収容した状態の斜視図である。
【図８】本発明の第１実施形態を示し、第２ハウジング部の端子収容ハウジング部にカバーを装着した状態を示す斜視図である。
【図９】本発明の第１実施形態を示し、第１ハウジング部に２本の第１電線を配策した状態の平面図である。
【図１０】本発明の第１実施形態を示し、第１ハウジング部の内面側が見える方向から、位置第１ハウジング部に第２ハウジング部を嵌合させる前の状態を示す斜視図である。
【図１１】本発明の第１実施形態を示し、第２ハウジング部の内面側が見える方向から、第１ハウジング部に第２ハウジング部を嵌合させる前の状態を示す斜視図である。
【図１２】本発明の第１実施形態を示し、第１ハウジング部に第２ハウジング部を嵌合させる前の状態を示す断面図である。
【図１３】本発明の第１実施形態を示し、ワイヤーハーネスの幹線本体及び枝線本体に、分岐コネクタで分岐したツイストペア線を這わすように配策した状態を示す斜視図である。
【図１４】本発明の第１実施形態を示し、通信ネットワークの構成図である。
【図１５】本発明の第２実施形態を示し、分岐コネクタの全体斜視図である。
【図１６】従来例の分岐コネクタの斜視図である。
【図１７】従来例の分岐コネクタの断面図である。
【発明を実施するための形態】
【００１４】
以下、本発明の実施形態を図面に基づいて説明する。
【００１５】
（第１実施形態）
図１〜図１４は本発明の第１実施形態を示す。図１４に示すように、通信ネットワーク１は、車両に搭載されている。通信ネットワーク１は、幹線ｗ１と、幹線ｗ１の複数点で分岐される複数の枝線ｗ２と、各枝線ｗ２にそれぞれ接続された複数のＥＣＵ（電子制御ユニット）２と、幹線ｗ１の両端に接続された２つの終端抵抗部３とを備えている。各ＥＣＵ２は、ＣＡＮインターフェース（図示せず）を搭載している。各ＥＣＵ２は、ＣＡＮ通信（コントローラエリアネットワーク）によって信号の送受信を行う。
【００１６】
幹線ｗ１は，ツイストペア線を構成する２本の第１電線Ｗ１が使用されている。２本の第１電線Ｗ１は、ほぼ密着したツイスト形状に配策されている。枝線ｗ２は、同じくツイストペア線を構成する２本の第２電線Ｗ２が使用されている。２本の第２電線Ｗ２は、ほぼ密着したツイスト形状に配策されている。そして、ツイストペア線の分岐が分岐コネクタ５Ａによって行われている。以下、分岐コネクタ５Ａについて説明する。
【００１７】
図１〜図６に示すように、分岐コネクタ５Ａは、ツイストペア線を構成する２本の第１電線Ｗ１が通過するよう配策される第１ハウジング部１０と、ツイストペア線を構成する２本の第２電線Ｗ２にそれぞれ接続された一対の圧接端子５０が固定された第２ハウジング部２０とを備えている。
【００１８】
第１ハウジング部１０は、概略長方形の板状である。第１ハウジング部１０は、配策経路部１１を有する。配策経路部１１は、ツイスト溝１２と、２本の第１電線Ｗ１の配策方向に間隔を開けて立設された３箇所のリブ１３ａ、１３ｂとを有する。ツイスト溝１２は、２本の第１電線Ｗ１が互いの間隔を開けたツイスト形状に倣った形状の溝に形成されている。３箇所のリブ１３ａ，１３ｂは、２本の第１電線Ｗ１のほぼツイストピッチＰの間隔で配置されている。中央のリブ１３ａは、上方から見て菱形状である。中央のリブ１３ａの両側面が最も離間する中心位置が、下記する一対の圧接端子５０の圧接位置である。両側のリブ１３ｂは、上方から見て二等辺三角形状である。
【００１９】
配策経路部１１は、３つのリブ１３ａ，１３ｂが２本の第１電線Ｗ１の間にそれぞれ割り込むことで、２本の第１電線Ｗ１がツイスト形状を維持しつつ互いの間隔を開き、このツイスト形状でツイスト溝１２に配策される。ツイスト溝１２に配策された２本の第１電線Ｗ１は、ツイスト溝１２の両端より第１ハウジング部１０の外部にそれぞれ引き出される。配策経路部１１における２本の第１電線Ｗ１のツイストピッチは、配策経路部１１以外における２本の第１電線Ｗ１のツイストピッチＰとほぼ同じである。
【００２０】
配策経路部１１には、中央のリブ１３ａの頂面より各ツイスト溝１２の底面にまで連続する一対の圧接刃ガイド溝１４が設けられている。各圧接刃ガイド溝１４は、圧接刃５２の肉厚とほぼ同じ幅寸法、若しくは、若干だけ幅広の寸法に形成されている。
【００２１】
第１ハウジング部１０の両側面の２箇所には、一対の係止爪１５がそれぞれ突設されている。
【００２２】
第２ハウジング部２０は、第１ハウジング部１０に組付けされる合体用ハウジング部２１と、合体用ハウジング部２１とは一体で、一対の圧接端子５０が固定される端子固定用ハウジング部３１とを備えている。
【００２３】
合体用ハウジング部２１は、第１ハウジング部１０より少しだけ大きな寸法に形成されている。合体用ハウジング部２１は、全周縁より垂設された４つの側壁２３ａ，２３ｂを有する。４つの側壁２３ａ，２３ｂに囲まれた内部の上面には、ツイスト溝１２の形状に倣う形状（２本の第１電線Ｗ１が互いの間隔を広げたツイスト形状に倣う形状）の突壁２４が設けられている。突壁２４は、第１ハウジング部１０に組付けされた状態で、ツイスト溝１２に入り込む。合体用ハウジング部２１の内部には、突壁２４に囲まれることによって位置決め凹部２４ａが設けられている。合体用ハウジング部２１の両端部には、一対の位置決め孔２２ａ，（図示せず）が形成されている。合体用ハウジング部２１には、内部空間に連通する一対の圧接刃進入孔２５（図３（ａ）、図５等参照）が形成されている。
【００２４】
４つの側壁２３ａ，２３ｂは、第１ハウジング部１０に組付けされた状態で、第１ハウジング部１０の全側面を被う位置に配置される。第１電線Ｗ１の配策方向に直交する一対の側壁２３ａには、一対の電線挿通溝２６がそれぞれ形成されている。両側壁２３ａの一対の電線挿通溝２６の間には、リブ２７が設けられている。各リブ２７は、第１ハウジング部１０に組付けされた状態で、第１ハウジング部１０の両側のリブ１３ｂと共に２本の第１電線Ｗ１の間に割り込む。
【００２５】
第１電線Ｗ１の配策方向と同じ方向に沿って延びる一対の側壁２３ｂの２箇所には、一対の弾性係止枠２８がそれぞれ設けられている。一対の弾性係止枠２８が第１ハウジング部１０の係止爪１５に係止されることによって、第１ハウジング部１０と第２ハウジング部２０が組付けされる。
【００２６】
合体用ハウジング部２１の内部には、一対の圧接刃進入孔２５が設けられている。一対の圧接刃進入孔２５は、合体用ハウジング部２１の内面と端子固定用ハウジング部３１の内面にそれぞれ開口している。
【００２７】
端子固定用ハウジング部３１は、コネクタハウジング部３２と、コネクタハウジング部３２にヒンジ３３を介して連結された閉塞蓋３４とを有する。コネクタハウジング部３２は、内部に一対の端子・電線収容室３５を有する。一対の端子・電線収容室３５の上面は、開放されている。一対の端子・電線収容室３５の先端側は、合体用ハウジング部２１に向かって直角に折れ曲がっており、一対の圧接刃進入孔２５に連通している。一対の端子・電線収容室３５の後端は、コネクタハウジング部３２の端面にまで達している。
【００２８】
コネクタハウジング部３２には、係止ランス４１を嵌合するランス嵌合口３８が設けられている。コネクタハウジング部３２の後部側には、係止爪３９（図５（ｂ）、図７に示す）が設けられている。
【００２９】
閉塞蓋３４は、ヒンジ３３を支点として端子・電線収容室３５を閉じる閉塞位置と、端子・電線収容室３５の上面を開放する開放位置との間で回転することができる。閉塞蓋３４の回転先端側には、弾性係止爪４０（図５（ｂ）に示す）が突設されている。閉塞位置では、閉塞蓋３４の弾性係止爪４０をコネクタハウジング部３２の係止爪３９に係止される。閉塞蓋３４の回転先端側には、一対の電線引出口３４ａが設けられている。閉塞蓋３４の閉塞位置では、一対の電線引出口３４ａは、端子・電線収容室３５の後端に開口する位置である。一対の電線引出口３４ａは、第１ハウジング部１０の２本の第１電線Ｗ１の引出し方向が、２本の第２電線Ｗ２の引出し方向に設定されている。これにより、一対の電線引出口３４ａより外部に引き出された第２電線Ｗ２は、第１電線と同じ引出し方向に引き出される。
【００３０】
一対の圧接端子５０は、第２電線Ｗ２を加締め接続する電線接続部である加締め部５１と、第１電線Ｗ１に圧接接続する圧接刃５２と、加締め部５１と圧接刃５２を連結する連結部５３とをそれぞれ有する。一対の圧接端子５０は、所定形状の導電性プレートを所定形態に折り曲げ加工することでそれぞれ形成されている。一対の圧接端子５０は、加締め部５１と圧接刃５２との連結箇所である連結部５３が直角にそれぞれ折曲されている。これにより、一対の圧接端子５０は、第１電線Ｗ１への圧接方向と、第２電線Ｗ２の接続方向とが直交する向きになっている。これにより、第１ハウジング部１０での第１電線１Ｗの配策方向と、第２ハウジング部での第２電線Ｗ２の配策方向が同じ方向になっている。各連結部５３の圧接刃５２側には、係止突片５４が突設されている。
【００３１】
一対の圧接端子５０は、コネクタハウジング部３２の端子・電線収容室３５に係止ランス４１によって位置決めされた状態で配置されている。詳細には、圧接端子５０の係止突片５４と連結部５３の加締め部５１側の面の間に係止ランス４１が係止されている。各圧接端子５０の圧接刃５２は、圧接刃突出口３７より突出している。一対の圧接端子５０に接続された２本の第２電線Ｗ２は、上記したように、電線引出口３４ａより外部に引き出されている。各第２電線Ｗ２の端末部には、フェライト４２がそれぞれ装着されている。尚、フェライト４２は、装着しない場合もある。
【００３２】
次に、分岐コネクタ５Ａの組付け手順を説明する。先ず、ツイストペア線を構成する２本の第２電線Ｗ２に圧接端子５０をそれぞれ接続する。次に、図７に示すように、一対の圧接端子５０及びこれに接続された第２電線Ｗ２を、第２ハウジング部２０の端子・電線収容室３５に収容する。次に、ランス嵌合口３８より係止ランス４１を嵌合する。これで、一対の圧接端子５０は、端子固定用ハウジング部３１に固定される。
【００３３】
次に、図８に示すように、閉塞蓋３４を開放位置から閉塞位置とし、端子・電線収容室３５を閉じる。これで、閉塞蓋３４の弾性係止爪４０（図５（ｂ）に示す）が端子固定用ハウジング部３１の係止爪３９ｂに係止される。
【００３４】
次に、図９に示すように、ツイストペア線を構成する２本の第１電線Ｗ１を、第１ハウジング部１０のツイスト溝１２に挿入する。ツイスト溝１２への挿入は、２本の第１電線Ｗ１の間の３箇所にリブ１３ａ，１３ｂを割り込ませるようにして挿入することで容易に出来る。図９に示すように、ツイスト溝１２に挿入された２本の第１電線Ｗ１は、互いの間隔を広げたツイスト形状に配策される。この作業工程は、第２ハウジング部２０への圧接端子５０の組付け作業前に行っても、並行して行っても良い。
【００３５】
次に、図１０〜図１２に示すように、第１ハウジング部１０に第２ハウジング部２０の合体用ハウジング部２１を合体させる。つまり、第１ハウジング部１０に第２ハウジング部２０の合体用ハウジング部２１を被せ、第１ハウジング部１０の係止爪１５に合体用ハウジング部２１の弾性係止枠２８を係止する。これにより、第１ハウジング部１０のツイスト溝１２に合体用ハウジング部２１の突壁２４が入り込み、各第１電線Ｗ１がツイスト溝１２内に位置決めされる。
【００３６】
又、中央のリブ１３ａの先端側は、合体用ハウジング部２１の位置決め凹部２４ａに入り込む。両端の一対のリブ１３ｂは、合体用ハウジング部２１の一対の位置決め凹部２４ａに入り込む。これにより、第１ハウジング部１０と合体用ハウジング部２１、ひいては第２ハウジング部２０が位置決め状態で合体される。
【００３７】
そして、この嵌合過程で、一対の圧接端子５０の圧接刃５２が圧接刃ガイド溝１４にガイドされつつツイスト溝１２に進入する。嵌合完了状態では、一対の圧接端子５０の各圧接刃５２が各第１電線Ｗ１に圧接接続される（図３参照）。
【００３８】
図１３に示すように、幹線ＷＨ１と幹線ＷＨ１より分岐された枝線ＷＨ２とを有するワイヤーハーネスＷＨに、ツイストペア線を同じ配策経路（ワイヤーハーネスＷＨに這わせる配策経路）で配策する場合がある。この場合には、ワイヤーハーネスＷＨの幹線ＷＨ１に沿って分岐コネクタ５Ａと共にツイストペア線の幹線ｗ１及び枝線ｗ２を共に配策し、且つ、ワイヤーハーネスＷＨの枝線ＷＨ２が分岐している位置で、ツイストペア線の枝線ｗ２の配策経路をワイヤーハーネスＷＨの枝線ｗ２に沿って配策できる。ワイヤーハーネスＷＨ及びツイストペア線の双方の幹線ＷＨ１,ｗ１と、ワイヤーハーネスＷＨ及びツイストペア線の双方の枝線ＷＨ２,ｗ２を一体でテープ巻きすることで、ワイヤーハーネスＷＨとツイストペア線間を容易に固定できる。
【００３９】
以上実施形態によれば、分岐コネクタ５Ａは、ツイストペア線を構成する２本の第１電線Ｗ１が互いの間隔を開けたツイスト形状に配策される配策経路部１１を有する第１ハウジング部１０と、ツイストペア線を構成する２本の第２電線Ｗ２にそれぞれ接続された一対の圧接端子５０が固定され、第１ハウジング部１０に組付けされた状態では、一対の圧接端子５０が２本の第１電線Ｗ１にそれぞれ圧接接続する第２ハウジング部２０と、第２ハウジング部に設けられ、第１ハウジング部１０の２本の第１電線Ｗ１の引出し方向を、２本の第２電線Ｗ２の引出し方向とする電線引出口３４ａとを備えている。
【００４０】
従って、２本の第１電線Ｗ１の間の間隔を広げるが、ツイスト形状を維持して配策されるため、通信品質を維持しつつツイストペア線を分岐できる。また、図１３に示すように、幹線ＷＨ１と幹線ＷＨ１より分岐された枝線ＷＨ２とを有するワイヤーハーネスＷＨに、ツイストペア線を同じ配策経路（ワイヤーハーネスＷＨに這わせる配策経路）で配策する場合に、分岐コネクタ５Ａから第２電線Ｗ２が第１電線Ｗ１と同じ引出し方向から引き出されているため、分岐コネクタ５Ａの配置レイアウトの自由度が向上し、設計容易である。
【００４１】
圧接端子５０は、第２電線Ｗ２を接続する電線接続部である加締め部５１と、加締め部５１に連結され、第１電線Ｗ１に圧接接続する圧接刃５２とを有し、加締め部５１と圧接刃５２との連結箇所である連結部５３が直角に折曲されている。
【００４２】
従って、圧接端子５０の加締め部５１に接続された第２電線Ｗ２は、第１電線Ｗ１の引出し方向に向かって延びるため、第２ハウジング部２０内で第２電線Ｗ２の配策方向を変更する必要がなく、分岐コネクタ５Ａのコンパクト化を図ることができる。又、第２電線Ｗ２を配策方向の変更のために曲げなくて良いため、分岐コネクタ５Ａ内での第２電線Ｗ２へのダメージを防止できる。
【００４３】
配策経路部１１は、２本の第１電線Ｗ１が互いの間隔を開けたツイスト形状に倣ったツイスト溝１２を有する。従って、２本の第１電線Ｗ１のツイスト形状を確実に維持できるため、確実に通信品質を維持できる。
【００４４】
配策経路部１１は、２本の第１電線Ｗ１の間に割り込むリブ１３ａ，１３ｂを有する。従って、２本の第１電線Ｗ１の間の間隔を容易に広げることができる。
【００４５】
第２ハウジング部２０の合体用ハウジング部２１は、第１ハウジング部１０に組付けされた状態で、ツイスト溝１２に入り込む突壁２４を有する。従って、ツイスト溝１２に第１電線Ｗ１を確実に位置決めでき、通信品質を維持に寄与する。特に、この実施形態では、突壁２４は、ツイスト溝１２の形状に倣う形状（２本の第１電線Ｗ１が互いの間隔を広げたツイスト形状に倣う形状）であるため、ツイスト溝１２の全範囲に亘って確実な位置決めができる。
【００４６】
第２ハウジング部２０は、第１ハウジング部１０に組付けされ、コネクタ嵌合部２９を有する合体用ハウジング部２１と、一対の圧接端子５０が固定され、コネクタ嵌合部２９に嵌合される端子固定用ハウジング部３１とを備えている。
【００４７】
従って、分岐コネクタ５Ａが雄雌のコネクタ接続と同様な作業によってツイストペア線の分岐作業を行うことができる。幹線ｗ１に第１ハウジング部１０と合体用ハウジング部２１を組み付ける作業（幹線ｗ１側作業）と、枝線ｗ２に接続された端子固定用ハウジング部３１を合体用ハウジング部２１に嵌合する嵌合作業（幹線ｗ１に枝線ｗ２を接続する作業）とを別々のタイミングで行うことができるため、作業自由度が向上する。
【００４８】
ツイストペア線を構成する２本の第１電線Ｗ１は、３箇所でリブ１３ａ，１３ｂが第１電線Ｗ１間に介在され、且つ、その中央のリブ１３ａの位置で圧接刃５２が圧接接続されている。従って、２本の第１電線Ｗ１の引っ張り力が分岐コネクタ５Ａに作用しても圧接刃５２による圧接接続箇所に第１電線Ｗ１の引っ張り力が直接に作用しないため、圧接接続の信頼性が高い。
【００４９】
通信ネットワーク１は、ツイストペア線を構成する２本の第１電線Ｗ１と、ツイストペア線を構成する２本の第２電線Ｗ２と、２本の第１電線Ｗ１と２本の第２電線Ｗ２の間を接続する、上記した構成の分岐コネクタ５Ａとを備えている。従って、分岐コネクタ５Ａ内では、２本の第１電線Ｗ１の間の間隔を広げられるが、分岐コネクタ５Ａ内でもツイスト形状を維持して配策される。以上より、通信品質を維持しつつツイストペア線を分岐した通信ネットワーク１が得られる。
【００５０】
（第２実施形態）
図１５は本発明の第２実施形態を示す。通信ネットワーク１は、前記第１実施形態と同様の構成である（図１４参照）。この通信ネットワーク１において、ツイストペア線の分岐に分岐コネクタ（分岐接続構造）５Ｂが使用されている。
【００５１】
第２実施形態の分岐コネクタ５Ｂは、前記第１実施形態のものと比較するに、第２ハウジング部２０が別体のハウジングより形成されている点が大きく相違する。
【００５２】
つまり、第２ハウジング部２０は、第１ハウジング部（図示せず）に組付けされる合体用ハウジング部２１と、合体用ハウジング部２１とは別体で、一対の圧接端子５０が固定される端子固定用ハウジング部３１Ａとから構成されている。合体用ハウジング部２１には、コネクタ嵌合室６０が設けられている。合体用ハウジング部２１と端子固定用ハウジング部３１Ａは別体に形成されているため、合体用ハウジング部２１と端子固定用ハウジング部３１Ａ間をロックするための係止爪６１と弾性係止枠６２が設けられている。
【００５３】
他の構成は、前記第１実施形態と概略同様であるため、第１実施形態とほぼ同一構成箇所には同一符号を付して説明を省略する。
【００５４】
分岐コネクタ５Ｂは、前記第１実施形態の分岐コネクタ５Ａと同様に、ツイストペア線を構成する２本の第１電線Ｗ１が互いの間隔を開けたツイスト形状に配策される配策経路部を有する第１ハウジング部（図示せず）と、ツイストペア線を構成する２本の第２電線Ｗ２にそれぞれ接続された一対の圧接端子５０が固定され、第１ハウジング部（図示せず）に組付けされた状態では、一対の圧接端子５０が２本の第１電線Ｗ１にそれぞれ圧接接続する第２ハウジング部２０と、第２ハウジング部に設けられ、第１ハウジング部（図示せず）の２本の第１電線Ｗ１の引出し方向を、２本の第２電線Ｗ２の引出し方向とする電線引出口３４ａとを備えている。従って、前記第１実施形態と同様に、２本の第１電線Ｗ１の間の間隔を広げるが、ツイスト形状を維持して配策されるため、通信品質を維持しつつツイストペア線を分岐できる。また、幹線ＷＨ１と幹線ＷＨ１より分岐された枝線ＷＨ２とを有するワイヤーハーネスＷＨに、ツイストペア線を同じ配策経路（ワイヤーハーネスＷＨに這わせる配策経路）で配策する場合に（図１３参考）、分岐コネクタ５Ｂから第２電線Ｗ２が第１電線Ｗ１と同じ引出し方向から引き出されているため、分岐コネクタ５Ｂの配置レイアウトの自由度が向上し、設計容易である。
【００５５】
図１４に示す通信ネットワーク１の分岐コネクタ５Ｂを適用すれば、第１実施形態と同様に、通信品質を維持しつつツイストペア線を分岐した通信ネットワーク１が得られる。
【００５６】
（その他の変形例）
各実施形態にあって、一対の圧接端子５０を終点抵抗付きのものとし、第２電線Ｗ２をアース電線とすれば、ツイストペア線の分岐コネクタと終端コネクタとにおいて、少なくとも第１ハウジング部１０を共有化できる。
【００５７】
各実施形態では、第２ハウジング部２０が一対の圧接端子５０、つまり、１組の圧接端子５０を有する構成であったが、複数組の圧接端子５０を有する構成であっても良い。この場合には、複数組の圧接端子５０が１組（ツイストペア線を構成する２本）の第２電線Ｗ２に接続するものであっても良く、複数組の圧接端子５０が複数組のそれぞれの第２電線Ｗ２に接続する構成であっても良い。
【００５８】
各実施形態では、ツイストペア線を構成する２本の第１電線Ｗ１は、３箇所でリブ１３ａ，１３ｂが介在される構成であるが、リブ個数は１つでも、２つでも、４つ以上でも良い。
【００５９】
各実施形態では、配策経路部１１は、ツイスト溝１２とリブ１３ａ，１３ｂによって形成されているが、２本の第１電線Ｗ１を互いの間隔を広げたツイスト形状に配策できる構成であれば良い。例えば、配策経路部１１は、ツイスト溝１２のみの構成でも良く、又、リブ１３ａのみの構成でも良い。
【００６０】
各実施形態では、配策経路部１１は、ツイスト溝１２を有するが、第１ハウジング部１０に２本の第１電線Ｗ１が互いに間隔を広げたツイスト形状に倣った一対の側壁を立設して形成しても良い。一対の側壁は連続した側壁ではなく間欠的な側壁でも良い。
【００６１】
各実施形態では、突壁２４は、第２ハウジング部２０の合体用ハウジング部２１に設けた突壁２４は、ツイスト溝１２の形状に倣う形状（２本の第１電線Ｗ１が互いの間隔を広げたツイスト形状に倣う形状）であるが、ツイスト溝１２に間欠的に挿入される複数の突壁としても良い。
【符号の説明】
【００６２】
１  通信ネットワーク
Ｗ１  第１電線
Ｗ２  第２電線
５Ａ，５Ｂ  分岐コネクタ
１０  第１ハウジング部
１１  配策経路部
１２  ツイスト溝
１３ａ，１３ｂ  リブ
２０  第２ハウジング部
２１  合体用ハウジング部
２４  突壁
２９  コネクタ嵌合部
３１,３１Ａ  端子固定用ハウジング部
３４ａ  電線引出口
５０  圧接端子
５１  加締め部（電線接続部）
５２  圧接刃
【図１】
2019079717.tif 000003
【図２】
2019079717.tif 000004
【図３】
2019079717.tif 000005
【図４】
2019079717.tif 000006
【図５】
2019079717.tif 000007
【図６】
2019079717.tif 000008
【図７】
2019079717.tif 000009
【図８】
2019079717.tif 000010
【図９】
2019079717.tif 000011
【図１０】
2019079717.tif 000012
【図１１】
2019079717.tif 000013
【図１２】
2019079717.tif 000014
【図１３】
2019079717.tif 000015
【図１４】
2019079717.tif 000016
【図１５】
2019079717.tif 000017
【図１６】
2019079717.tif 000018
【図１７】
2019079717.tif 000019